【手続補正書】
【提出日】平成23年7月13日(2011.7.13)
【手続補正１】
【補正対象書類名】特許請求の範囲
【補正対象項目名】全文
【補正方法】変更
【補正の内容】
【特許請求の範囲】
【請求項１】
伝達すべきデータがそれぞれ同じ標準または異なる標準に従い符号化される個々の要素（ＭＭ−Ｅ１，ＭＭ−Ｅ２）から構成されている、
通信システムにおけるデータ伝送方法たとえばテキストデータおよび／または音声付きまたは音声なし画像データの伝送方法において、
ファイルタイプ変換および／またはファイルフォーマット変換（ＫＯＮＶ）を受信側（Ｂ）のプロファイルに従って行い、
前記変換（ＫＯＮＶ）により、外部の記憶場所を指す外部リンク（ＬＫ）を、データ内で該外部リンク（ＬＫ）の有効性を維持するため、前記ファイルタイプ変換および／またはファイルフォーマット変換（ＫＯＮＶ）に応じて変化させることを特徴とする、
データ伝送方法。
【請求項２】
伝達すべきデータがそれぞれ同じ標準または異なる標準に従い符号化される個々の要素から構成されている、
通信システムにおけるデータ伝送方法たとえばテキストデータおよび／または音声付きまたは音声なし画像データの伝送方法において、
ファイルタイプ変換および／またはファイルフォーマット変換（ＫＯＮＶ）を受信側（Ｂ）のプロファイルに従って行い、
前記変換（ＫＯＮＶ）により、通信システム内で伝送されるデータ内部における内部リンク（ＬＫ）を、異なるデータ要素（ＭＭ−Ｅ１，ＭＭ−Ｅ２）間で該内部リンク（ＬＫ）の有効性を維持するため、前記ファイルタイプ変換および／またはファイルフォーマット変換（ＫＯＮＶ）に応じて変化させることを特徴とする、
データ伝送方法。
【請求項３】
受信側のプロバイダにおいて変換（ＫＯＮＶ）を行う、請求項１または２記載の方法。
【請求項４】
異なる要素間でのデータ内のリンク（ＬＫ）を調べる、請求項１または２記載の方法。
【請求項５】
データを送信するために準備処理をして、構成情報を伝送するためのヘッダおよび個々の有効情報を伝送するためのボディを各要素として有利には複数のデータパケットの形態でデータに含ませる、請求項１または２記載の方法。
【請求項６】
データをマルチメディアメッセージサービス（ＭＭＳ）におけるマルチメディアメッセージ（ＭＭ）として伝送する、請求項１または２または請求項５記載の方法。
【請求項７】
データを移動体加入者端末機器たとえばＷＡＰ対応移動電話機へ伝送する、請求項１または２または請求項５または６記載の方法。
【請求項８】
伝達すべきデータの要素として同じ標準または異なる標準に従って符号化されているテキストデータおよび／または音声付きまたは音声なしの画像データの形態でデータをユーザ固有に用いるための加入者端末装置（ＭＭＳ−ＵＡ Ｂ）において、
ＭＭＳユーザエージェント（ＭＭＳ−ＵＡ）が設けられており、該ＭＭＳユーザエージェントは、ＭＭＳリレー／サーバ内で受信側（Ｂ）または加入者端末装置側のプロファイルに従って行われたファイルタイプ変換および／またはファイルフォーマット変換（ＫＯＮＶ）によるデータを、受信して表示し、
前記ファイルタイプ変換および／またはファイルフォーマット変換（ＫＯＮＶ）に応じて、外部の記憶場所を指す外部リンク（ＬＫ）が、データ内で該外部リンク（ＬＫ）の有効性維持のため変化されていることを特徴とする加入者端末装置。
【請求項９】
伝達すべきデータの要素として同じ標準または異なる標準に従って符号化されているテキストデータおよび／または音声付きまたは音声なしの画像データの形態でデータをユーザ固有に用いるための加入者端末装置（ＭＭＳ−ＵＡ Ｂ）において、
ＭＭＳユーザエージェント（ＭＭＳ−ＵＡ）が設けられており、該ＭＭＳユーザエージェントは、ＭＭＳリレー／サーバ内で受信側（Ｂ）または加入者端末装置側のプロファイルに従って行われたファイルタイプ変換および／またはファイルフォーマット変換（ＫＯＮＶ）によるデータを、受信して表示し、
前記ファイルタイプ変換および／またはファイルフォーマット変換（ＫＯＮＶ）に応じて、伝送されるデータ内部における内部リンク（ＬＫ）が、それぞれ異なるデータ要素（ＭＭ−Ｅ１，ＭＭ−Ｅ２）間で該内部リンク（ＬＫ）の有効性維持のため変化されていることを特徴とする加入者端末装置。
【請求項１０】
移動電話機として構成されており、たとえばＧＳＭ標準、ＧＰＲＳ標準、ＥＤＧＥ標準またはＵＭＴＳ標準またはそれらの混合形式に従い構成されている、請求項８または９記載の加入者端末装置。
【請求項１１】
コンピュータ読み取り可能な記憶媒体において、
該記憶媒体にプログラムが格納されており、
該プログラムがコンピュータの記憶装置にロードされるとデータ処理装置またはコンピュータによって、通信システムおよびたとえば移動無線ネットワークのデータ伝送においてファイルタイプおよび／またはファイルフォーマットの変換（ＫＯＮＶ）後、受信側（Ｂ）のプロファイルに従い、外部の記憶場所を指す外部リンク（ＬＫ）の有効性をデータ内で維持するために、自動的なリンク更新を可能にさせることを特徴とする、
コンピュータ読み取り可能な記憶媒体。
【請求項１２】
コンピュータ読み取り可能な記憶媒体において、
該記憶媒体にプログラムが格納されており、
該プログラムがコンピュータの記憶装置にロードされるとデータ処理装置またはコンピュータによって、通信システムおよびたとえば移動無線ネットワークのデータ伝送においてファイルタイプおよび／またはファイルフォーマットの変換（ＫＯＮＶ）後、受信側（Ｂ）のプロファイルに従い、通信システム内で伝送されるデータ内部における内部リンク（ＬＫ）の有効性をそれぞれ異なるデータ要素（ＭＭ−Ｅ１，ＭＭ−Ｅ２）間で維持するために、自動的なリンク更新を可能にさせることを特徴とする、
コンピュータ読み取り可能な記憶媒体。
【請求項１３】
移動無線ネットワークにおけるデータ送信時に請求項１記載の方法を実施する、請求項１１記載のコンピュータ読み取り可能な記憶媒体。
【請求項１４】
移動無線ネットワークにおけるデータ送信時に請求項１記載の方法を実施する、請求項１２記載のコンピュータ読み取り可能な記憶媒体。
【請求項１５】
伝達すべきデータの要素として同じ標準または異なる標準に従って符号化されているテキストデータおよび／または音声付きまたは音声なしの画像データの形態でデータを伝送するためのＭＭＳリレー／サーバ（ＭＭＳ−ＲＳ）において、
ファイルタイプ変換および／またはファイルフォーマット変換を受信側（Ｂ）のプロファイルに従って行うための変換手段（ＫＯＮＶ）が設けられており、
該変換手段（ＫＯＮＶ）は、外部の記憶場所を指す外部リンク（ＬＫ）を、データ内で該外部リンク（ＬＫ）の有効性を維持するため前記ファイルタイプ変換および／またはファイルフォーマット変換（ＫＯＮＶ）に応じて変化させることを特徴とする、
ＭＭＳリレー／サーバ。
【請求項１６】
伝達すべきデータの要素として同じ標準または異なる標準に従って符号化されているテキストデータおよび／または音声付きまたは音声なしの画像データの形態でデータを伝送するためのＭＭＳリレー／サーバ（ＭＭＳ−ＲＳ）において、
ファイルタイプ変換および／またはファイルフォーマット変換を受信側（Ｂ）のプロファイルに従って行うための変換手段（ＫＯＮＶ）が設けられており、
該変換手段（ＫＯＮＶ）は、伝送されるデータ内部における内部リンク（ＬＫ）を、それぞれ異なるデータ要素（ＭＭ−Ｅ１，ＭＭ−Ｅ２）間で有効性を維持するため前記ファイルタイプ変換および／またはファイルフォーマット変換（ＫＯＮＶ）に応じて変化させることを特徴とする、
ＭＭＳリレー／サーバ。
【請求項１７】
通信システムにおいて、
伝達すべきデータの要素として同じ標準または異なる標準に従って符号化されているテキストデータおよび／または音声付きまたは音声なしの画像データの形態でデータをユーザ固有に用いるための加入者端末装置（ＭＭＳ−ＵＡ Ｂ）と、
ファイルタイプ変換および／またはファイルフォーマット変換を受信側（Ｂ）のプロファイルに従って行うための変換手段（ＫＯＮＶ）を備えており、伝達すべきデータの要素として同じ標準または異なる標準に従って符号化されているテキストデータおよび／または音声付きまたは音声なしの画像データの形態でデータを伝送するためのＭＭＳリレー／サーバ（ＭＭＳ−ＲＳ）とが設けられており、
前記加入者端末装置（ＭＭＳ−ＵＡ Ｂ）内に、ＭＭＳユーザエージェント（ＭＭＳ−ＵＡ）が設けられており、該ＭＭＳユーザエージェントは、ＭＭＳリレー／サーバ内で受信側（Ｂ）または加入者端末装置側のプロファイルに従って行われたファイルタイプ変換および／またはファイルフォーマット変換（ＫＯＮＶ）によるデータを、受信して表示し、前記ファイルタイプ変換および／またはファイルフォーマット変換（ＫＯＮＶ）に応じて、外部の記憶場所を指す外部リンク（ＬＫ）が、データ内で該外部リンク（ＬＫ）の有効性維持のため変化されており、
前記ＭＭＳリレー／サーバ（ＭＭＳ−ＲＳ）内の変換手段（ＫＯＮＶ）は変換を行うとき、外部の記憶場所を指す外部リンク（ＬＫ）を、データ内で該外部リンク（ＬＫ）の有効性を維持するために前記ファイルタイプ変換および／またはファイルフォーマット変換（ＫＯＮＶ）に応じて変化させることを特徴とする、
通信システム。
【請求項１８】
通信システムにおいて、
伝達すべきデータの要素として同じ標準または異なる標準に従って符号化されているテキストデータおよび／または音声付きまたは音声なしの画像データの形態でデータをユーザ固有に用いるための加入者端末装置（ＭＭＳ−ＵＡ Ｂ）と、
ファイルタイプ変換および／またはファイルフォーマット変換を受信側（Ｂ）のプロファイルに従って行うための変換手段（ＫＯＮＶ）を備えており、伝達すべきデータの要素として同じ標準または異なる標準に従って符号化されているテキストデータおよび／または音声付きまたは音声なしの画像データの形態でデータを伝送するためのＭＭＳリレー／サーバ（ＭＭＳ−ＲＳ）とが設けられており、
前記加入者端末装置（ＭＭＳ−ＵＡ Ｂ）内に、ＭＭＳユーザエージェント（ＭＭＳ−ＵＡ）が設けられており、該ＭＭＳユーザエージェントは、ＭＭＳリレー／サーバ内で受信側（Ｂ）または加入者端末装置側のプロファイルに従って行われたファイルタイプ変換および／またはファイルフォーマット変換（ＫＯＮＶ）によるデータを、受信して表示し、前記ファイルタイプ変換および／またはファイルフォーマット変換（ＫＯＮＶ）に応じて、外部の記憶場所を指す外部リンク（ＬＫ）が、データ内で該外部リンク（ＬＫ）の有効性維持のため変化されており、
前記ＭＭＳリレー／サーバ（ＭＭＳ−ＲＳ）内の変換手段（ＫＯＮＶ）は変換を行うとき、伝送されるデータ内部における内部リンク（ＬＫ）を、それぞれ異なるデータ要素（ＭＭ−Ｅ１，ＭＭ−Ｅ２）間で有効性を維持するため前記ファイルタイプ変換および／またはファイルフォーマット変換（ＫＯＮＶ）に応じて変化させることを特徴とする、
通信システム。